(57)【特許請求の範囲】
【請求項１】
注出口の口部に螺着自在に係合されたキャップ本体と、初期開封時、前記キャップ本体の不正開封を防止するためのピルファープルーフバンドとが一体に形成された、ピルファープルーフバンド付きキャップにおいて、
前記キャップ本体の外側に、複数の突起からなるローレットが形成され、
前記ローレット下部に、板状の誤飲防止部材が水平方向へ延設され、
前記誤飲防止部材は、上面視で円形状であるとともに、該誤飲防止部材の内周部を切り欠いた内切欠部を有することを特徴とする、ピルファープルーフバンド付きキャップ。
【請求項２】
注出口の口部に螺着自在に係合されたキャップ本体と、初期開封時、前記キャップ本体の不正開封を防止するためのピルファープルーフバンドとが一体に形成された、ピルファープルーフバンド付きキャップにおいて、
前記キャップ本体の外側に、複数の突起からなるローレットが形成され、
前記ローレット下部に、板状の誤飲防止部材が水平方向へ延設され、
前記誤飲防止部材は、上面視で円形状の外周部の一部を切り欠いた外切欠部を有する外形であり、該外形の最外端が前記円形状の内円に接するとともに、該誤飲防止部材の内周部を切り欠いた内切欠部を有することを特徴とする、ピルファープルーフバンド付きキャップ。
【請求項３】
前記内切欠部は、前記キャップ本体の側面に達することを特徴とする、請求項１に記載のピルファープルーフバンド付きキャップ。
【請求項４】
前記内切欠部および前記外切欠部、もしくは、前記内切欠部または前記外切欠部は、前記キャップ本体の側面に達することを特徴とする、請求項２に記載のピルファープルーフバンド付きキャップ。
【請求項５】
前記誤飲防止部材は、少なくとも一部が垂直に起立した起立部を有することを特徴とする、請求項１乃至４のいずれか１項に記載のピルファープルーフバンド付きキャップ。
【請求項６】
前記誤飲防止部材は、上面視で最大直径が３０ｍｍ〜５０ｍｍの範囲であることを特徴とする、請求項１乃至５のいずれか１項に記載のピルファープルーフバンド付きキャップ。
【発明の詳細な説明】
【技術分野】
【０００１】
本発明は、主に、注出口の口部に螺着自在に係合されたキャップ本体と、初期開封時、前記キャップ本体の不正開封を防止するためのピルファープルーフバンドとが一体に形成された、誤飲防止用のピルファープルーフバンド付きキャップに関する。
【背景技術】
【０００２】
従来より、図１６（ａ）に示すような、携帯用の飲料や食品などに好適に用いられる、注出口４の口部に螺着自在に係合されたキャップ本体１と、初期開封時に前記キャップ本体１の不正開封を防止するためのピルファープルーフバンド２とが一体に形成された、ピルファープルーフバンド付きキャップ３を備えた包装体１０が知られている。特に、前記キャップ本体１の下方には、流通段階での不正開封を防止するため、ピルファープルーフバンド２が一体に形成されており、初期開封後、キャップ本体１から分離したピルファープルーフバンド２が注出口４の下方へと落下するため、商品開封の有無を判別する不正開封防止の効果を奏することが可能である（例えば、特許文献１、特許文献２）。
【０００３】
しかしながら、開封後のキャップ本体１は、図１６（ｂ）に示すように、指先でつまめる程度の大きさからなり、また、キャップ１を回動させる簡単な操作で、キャップ１を取り外すことができるために、子供がキャップ１を誤って口内へと飲み込んでしまう恐れがある。特に、乳幼児は、一旦手にしたものを何でも口に入れてしまう傾向があり、このため、１４歳までの子供の使用のために設計された筆記用具のキャップのＪＩＳ規格などの、子供の誤飲による窒息の危険性に対する安全要件の日本工業規格（ＪＩＳ Ｓ６０６０−１９９６）が定められている。
【０００４】
そして、この場合の一例としては、キャップ本体の長手方向に沿って通気面積を６．８ｍｍ2以上の断面積をもつ空気流路がなければならないなど、誤飲防止のためのさまざまな規格が設けられている。また、誤飲防止用スケール（特許文献３）や、キャップに苦味催吐剤を塗布した誤飲防止用の筆記具（特許文献４）など、乳幼児の誤飲防止のための様々な製品が提案されている。
【０００５】
【特許文献１】特開２００５−１１２４６５号公報
【特許文献２】特開平６−１７１６６１号公報
【特許文献３】特開２００１−２１８６５２号公報
【特許文献４】特開平９−１９２５８０号公報
【発明の開示】
【発明が解決しようとする課題】
【０００６】
本発明は、このような問題点を解決するためになされたものであり、主に携帯用の飲料や食品などに好適に用いられる、注出口の口部に螺着自在に係合されたキャップ本体と、初期開封時に前記キャップ本体の不正開封を防止するためのピルファープルーフバンドとが一体に形成された、ピルファープルーフバンド付きキャップを備えた包装体において、キャップ本体を誤って飲み込んでしまうことがない、ピルファープルーフバンド付きキャップを提供することである。
【課題を解決するための手段】
【０００７】
そこで、これらの課題を解決するため、本発明の請求項１記載の発明は、注出口の口部に螺着自在に係合されたキャップ本体と、初期開封時、前記キャップ本体の不正開封を防止するためのピルファープルーフバンドとが一体に形成された、ピルファープルーフバンド付きキャップにおいて、前記キャップ本体の外側に、複数の突起からなるローレットが形成され、前記ローレット下部に、板状の誤飲防止部材が水平方向へ延設され、前記誤飲防止部材は、上面視で円形状であるとともに、該誤飲防止部材の内周部を切り欠いた内切欠部を有することを特徴とする、ピルファープルーフバンド付きキャップである。
【０００９】
また、請求項２記載の発明は、注出口の口部に螺着自在に係合されたキャップ本体と、初期開封時、前記キャップ本体の不正開封を防止するためのピルファープルーフバンドとが一体に形成された、ピルファープルーフバンド付きキャップにおいて、前記キャップ本体の外側に、複数の突起からなるローレットが形成され、前記ローレット下部に、板状の誤飲防止部材が水平方向へ延設され、前記誤飲防止部材は、上面視で円形状の外周部の一部を切り欠いた外切欠部を有する外形であり、該外形の最外端が前記円形状の内円に接するとともに、該誤飲防止部材の内周部を切り欠いた内切欠部を有することを特徴とする、ピルファープルーフバンド付きキャップである。
【００１０】
また、請求項３記載の発明は、前記内切欠部は、前記キャップ本体の側面に達することを特徴とする、ピルファープルーフバンド付きキャップである。
また、請求項４記載の発明は、前記内切欠部および前記外切欠部、もしくは、前記内切欠部または前記外切欠部は、前記キャップ本体の側面に達することを特徴とする、ピルファープルーフバンド付きキャップである。
【００１１】
また、請求項５記載の発明は、前記誤飲防止部材は、少なくとも一部が垂直に起立した起立部を有することを特徴とする、ピルファープルーフバンド付きキャップである。
【００１４】
また、請求項６記載の発明は、前記誤飲防止部材は、上面視で最大直径が３０ｍｍ〜５０ｍｍの範囲であることを特徴とする、ピルファープルーフバンド付きキャップである。
【発明の効果】
【００１５】
本発明の請求項１記載の発明は、注出口の口部に螺着自在に係合されたキャップ本体と、初期開封時、前記キャップ本体の不正開封を防止するためのピルファープルーフバンドとが一体に形成された、ピルファープルーフバンド付きキャップにおいて、前記キャップ本体の外側に、複数の突起からなるローレットが形成され、前記ローレット下部に、板状の誤飲防止部材が水平方向へ延設され、前記誤飲防止部材は、上面視で円形状であるとともに、該誤飲防止部材の内周部を切り欠いた内切欠部を有することを特徴とするから、キャップ本体の誤飲を確実に防止することが可能である。
また、キャップを開封しやすい効果がある。さらには、万が一キャップ本体を口内に入れても、内切欠部が通気孔の役割をするため、より高い安全性を確保することが可能である。
また、従来の巻き締め装置を用いて注出口へのキャッピングが可能であるため、通常の設備を用いることが可能である。さらには、従来同様ローレット部分をつまんでキャップの開封を行なうことが可能である。
【００１７】
また、請求項２記載の発明は、注出口の口部に螺着自在に係合されたキャップ本体と、初期開封時、前記キャップ本体の不正開封を防止するためのピルファープルーフバンドとが一体に形成された、ピルファープルーフバンド付きキャップにおいて、前記キャップ本体の外側に、複数の突起からなるローレットが形成され、前記ローレット下部に、板状の誤飲防止部材が水平方向へ延設され、前記誤飲防止部材は、上面視で円形状の外周部の一部を切り欠いた外切欠部を有する外形であり、該外形の最外端が前記円形状の内円に接するとともに、該誤飲防止部材の内周部を切り欠いた内切欠部を有することを特徴とするから、キャップ本体の誤飲防止とともに、キャップを開封しやすい効果がある。
【００１８】
また、請求項３記載の発明は、前記内切欠部は、前記キャップ本体の側面に達することを特徴とする。
また、請求項４記載の発明は、前記内切欠部および前記外切欠部、もしくは、前記内切欠部または前記外切欠部は、前記キャップ本体の側面に達することを特徴とする。
従って、キャップ本体の成形時において、前記誤飲防止部材がたわむ程度の強度的な余裕が生じるため、誤飲防止部材とキャップ本体とを一体に成形しやすくなる効果がある。
【００１９】
また、請求項５記載の発明は、前記誤飲防止部材は、少なくとも一部が垂直に起立した起立部を有することを特徴とするから、キャップ本体の開封時、指先に起立部がフィットして、さらにキャップ本体の開封をしやすい効果がある。
【００２２】
また、請求項６記載の発明は、前記誤飲防止部材は、上面視で最大直径が３０ｍｍ〜５０ｍｍの範囲であることを特徴とするから、特に、乳幼児に対して確実に誤飲を防ぐ効果がある。
【発明を実施するための最良の形態】
【００２３】
本発明に係るピルファープルーフバンド付きキャップ３（キャップ３）を備えた包装体１０の一例としては、図１に示すように、包装体５（ガゼット型パウチ５）の内部から上方にかけて形成された注出口４と、該注出口４の口部にキャップ本体１およびピルファープルーフバンド２からなるピルファープルーフバンド付きキャップ３を装着した、ピルファープルーフバンドキャップ付き包装体１０（包装体１０）が挙げられる。前記包装体５としては、ガゼット型パウチ限らず、四方シール形式のパウチや、スタンドパウチや、ピロー袋など、注出口４の取り付けが可能であれば包装体５の種類や形状は限定されるものではない。
【００２４】
そして、前記包装体１０の初期開封時には、キャップ本体１若しくはキャップ本体１に形成された誤飲防止部材７をつかみ、開封方向へと回動することにより、図２に示すように、キャップ本体１とピルファープルーフバンド２とが分離して、キャップ本体１のみを取り外すことが可能である。このとき、ピルファープルーフバンド２が注出口４の下方へと落下することにより、初期開封が行なわれたことを容易に認識することが可能であり不正開封防止の効果がある。
【００２５】
特に、取り外したキャップ本体１には、板状の誤飲防止部材７が水平方向に延設されており、キャップ本体１を誤って口に入れても、喉口内に達することのない誤飲防止の効果を奏することが可能である。また、前記誤飲防止部材７は、後述する様々な形状を有することにより誤飲防止の効果のみならず、キャップ本体の開封性を向上させることが可能である。
【００２６】
以下に、本発明のピルファープルーフバンド付きキャップ３の構成および該キャップ３を取り付けるための注出口４の構成を説明する。
【００２７】
まず、本発明のピルファープルーフバンド付きキャップ３の構成について説明する。
本発明のピルファープルーフバンド付きキャップ３の一例としては、図３（ａ）（ｂ）に示すように、キャップ本体１とピルファープルーフバンド２とが一体に成形されたピルファープルーフバンド付きキャップ３であって、前記キャップ本体１の下方において、誤飲防止部材７がキャップ本体１と一体に成形されている。
【００２８】
前記キャップ本体１の内部には、後述する、キャップ本体１を注出口４のネジ部４２へと螺着するためのネジ溝１２が形成され、キャップ本体１の外側には、キャップ開封時にキャップ本体をつかむ指先がすべることを防止するための、複数の突起からなるローレット１３がキャップ本体１の外周にわたって形成されている。
【００２９】
前記キャップ本体１と前記ピルファープルーフバンド２とは、キャップ本体１の下方に形成された連結部材１５と、ピルファープルーフバンド２の上方に形成された連結部材２５とにより一体に連結されており、後述する、キャップ本体１の回動に伴い、連結部材１５、２５が破断して、キャップ本体１とピルファープルーフバンド２とが分離される構成である。
【００３０】
特に、キャップ本体１の前記ローレット１３の下方部分には、水平方向へと板状の誤飲防止部材７が延設されており、これによりキャップ本体１の上面視における外形が大きく形成されている。さらに、前記誤飲防止部材７は、図４（ａ）に示すように、上面視で円形状（図中点線円部分）の外周部の一部を切り欠いた外切欠部８を有する外形であり、この外形の最外端が円形状の内円に接するとともに、上面視で略花形状かつ側面視で略−形状を有している。また、この誤飲防止部材の内周部を切り欠いた内切欠部６が形成されている。
【００３１】
このように、誤飲防止部材７は、誤飲防止部材７の内周部を切り欠いた内切欠部６や上面視で円形状の外周部の一部を切り欠いた外切欠部８を形成することにより、ピルファープルーフバンド付きキャップ３の開封時において、誤飲防止部材７の切欠部６、８に指先を挿入もしくは当接させて、キャップ３の回動を少ない力で容易に行なうことが可能である。
【００３２】
すなわち、キャップ本体１の外周に形成されたすべり止めのローレット１３を指先でつまみキャップ本体１を回動させる従来の開封方法では、ローレット１３の複数の突起が指先にくいこんで指先を痛めることがあり、また、キャップ本体１の回動時、ローレットをつまむ指先が滑ってしまいキャップの開封が困難な場合がある。
本発明のピルファープルーフバンド付きキャップ３においては、キャップ本体より大きな外形を有する水平方向へ延設された板状の前記誤飲防止部材７をつまみキャップ本体１を回動させることにより、大きな回転モーメントを得ることが可能であり、少ない回転力で大きな回転トルクを発生させることが可能である。よって、キャップ本体１に形成された誤飲防止部材７をつまんで開封操作を行なうことにより、キャップ本体１の開封を少ない力で容易に行なうことが可能である。
【００３３】
さらには、キャップの回動時、前記誤飲防止部材７の外周部に形成された外切欠部８の凹部分に指先がフィットするため、キャップ３の回動に伴い指先が滑ることなく、キャップ３を強固に把持して回動させることが可能である。また、前記誤飲防止部材７の内周部に形成された内切欠部６へと指先を挿入してもよく、さらにキャップ本体１を強固かつ確実に回動させることが可能である。
【００３４】
また、前記誤飲防止部材を、前記キャップ本体に形成されたローレットの下部に形成するので、従来の巻き締め装置を用いて注出口へのキャッピングが可能であるため、通常の設備を用いることが可能である。さらには、従来同様ローレット部分をつまんでキャップの開封を行なうことが可能である。
【００３５】
次に、前記ピルファープルーフバンド付きキャップ３を装着する注出口４の構成について説明する。
注出口４の一例としては、図５に示すように、図示しない包装体５の上方に露出する部分である、円筒状の口部４１と、該口部４１の側面に形成されたネジ部４２と、該ネジ部４２の下方に形成された凸リング４３と、該凸リング４３の下方に形成された、板形状の複数のフランジ部４５とを有し、また、包装体５の内部に位置する、前記フランジ部４５の下方に形成された接着基部４６と、該接着基部４６より下方に形成された吸入ガイド４７と、該吸入ガイド４７の下方に形成された閉塞防止部４８とを有し、縦長形状の注出口４を形成している。
【００３６】
そして、このような注出口４に、本発明の前記ピルファープルーフバンド付きキャップ３を装着すると、図６に示すように、キャップ本体１のネジ溝１２と注出口４のネジ部４２とが互いに螺着するとともに、ピルファープルーフバンド２の下方に形成された凸形状の凸部２１が、前記注出口４の凸リング４３の下方に当接する。特に、キャップ本体１とピルファープルーフバンド２とは、前記連結部材１５，２５を介して一体に形成されており、これによりピルファープルーフバンド２と注出口４のフランジ４５との間に隙間Ｓが形成される。よって、キャップ本体１が初期開封前の状態であることを示すピルファープルーフ性を奏することが可能である。
【００３７】
そして、商品購入後の初期開封時において、ピルファープルーフバンド付きキャップ３の前記誤飲防止部材７を把持して開封方向（矢印の方向）へと回動することにより、キャップ本体１が上方へと移動するとともにピルファープルーフバンド２との連結部材１５，２５が破断して、図７に示すように、キャップ本体１とピルファープルーフバンド２とが分離するとともに、ピルファープルーフバンド２が注出口４のフランジ４５上へと落下して、キャップ本体１を取り外すことが可能である。
【００３８】
特に、ピルファープルーフバンド付きキャップの開封時において、前記誤飲防止部材７の外切欠部８に指先をかけ、もしくは内切欠部６に指先を挿入して、キャップ３を回動することにより、少ない力でもって大きな回動トルクを生じさせて、容易にキャップ３を回動せしめキャップ本体１を開封することが可能である。
【００３９】
また、開封後のキャップ本体１は、図８（ａ）（ｂ）に示すように、キャップ本体１に形成された誤飲防止部材７により、キャップ本体１の見かけ上の大きさが増すため、誤って口内に入れても、水平方向へ延設された板状の誤飲防止部材７によりキャップ本体１が喉口まで達することを防ぐ誤飲防止の効果がある。さらには、万が一キャップ本体１を口内に入れても、前記誤飲防止部材７に形成された内切欠部６が空気の通気孔となるため、より高い安全性を確保することが可能である。
【００４０】
以上のように、本発明のピルファープルーフバンド付きキャップ３は、キャップ本体１に水平方向へ延設された板状の誤飲防止部材７を形成し、該誤飲防止部材７の一部を切り欠いた内切欠部６および外切欠部８を形成する簡単な構成により、キャップ本体の見かけ上の外形を大きく形成してキャップ本体１の誤飲を防止することが可能である。
【００４１】
また、キャップ３の回動時に、前記誤飲防止部材７をつかんでキャップ本体１を回動することにより、少ない力でもって容易にキャップ本体１を開封することが可能である。さらには、誤飲防止部材７の内切欠部６や外切欠部８に指を当接もしくは挿入することにより、より簡単にキャップ３の開封を行なうことが可能である。
【００４２】
上記例では、誤飲防止部材７の外周部および内周部の一部を切り欠いた切欠部６、８を有する誤飲防止部材７の一例を示したが、これに限らず、前記外切欠部８を形成することなく、図９（ａ）に示すように、円形状である誤飲防止部材７であってもよい。また、内切欠部６がキャップ本体１の側面まで達するように形成してもよい。さらには、図９（ｂ）に示すように、一部を垂直方向に起立させた起立部９を形成してもよく、誤飲防止の効果とともに、側面視幅広な起立部に指の腹を当接させてキャップ本体を開封方向へと強固に回動することが可能である。また、キャップ３の製造時において、キャップ３の転がりを最大限としつつ、キャップ本体１が撓む余裕を持たせ、さらには、キャップ３の開封性をも向上させることが可能である。さらには、たとえ口内にキャップを挿入しても、複数の内切欠部６により空気の流路が形成されるため、誤飲防止に対してより高い安全性を確保することが可能である。また、前記切欠部６，８の形状は、上記例に限らず、以下参考例１および２、実施例１に示すように、様々な形状からなる誤飲防止部材を形成してもよい。
【００４３】
以下に、本発明のピルファープルーフバンド付きキャップ３の、前記誤飲防止部材７の外形の一例として参考例１および２を示す。また、前記誤飲防止部材７の一例として実施例１を示す。
（参考例１）
前記誤飲防止部材７の外形の一例としての参考例は、例えば、図１０に示すように、誤飲防止部材７の上面視で円形状の外周部を等間隔かつ複数切り欠いた外切欠部８を形成してもよく、この場合、誤飲防止部材７の上面視で円形状の外周部に８つの切欠部８を形成する。このように、多数の外切欠部８を形成することにより、キャップ３の製造工程において、キャップ３が転がりやすくなるとともに、キャップ３開封時に、外切欠部８に指先が入り込んでも指先を痛めることなくキャップ本体を強固に把持して回動することが可能である。
【００４４】
一方、前記誤飲防止部材７の外形の別の一例としての参考例は、図１１に示すように、誤飲防止部材７の上面視で円形状の外周部に４つの外切欠部８を形成する。この場合、キャップを把持する手の親指、人差指、中指、薬指をそれぞれの外切欠部８に当接させてキャップをつかむことが可能であり、キャップを強固に把持しつつ回動させることが可能である。
【００４５】
このように、誤飲防止部材７の上面視で円形状の外周部に等間隔に複数の外切欠部８を形成することにより、キャップ本体１の誤飲防止効果、さらには開封性のみならず意匠性が向上する効果がある。
【００４６】
（参考例２）
次に、前記誤飲防止部材７において、外切欠部８がキャップ本体の側面に達する一例としての参考例は、図１２および図１３に示すように、誤飲防止部材７の上面視で円形状の外周部を等間隔に切り欠いた外切欠部８を形成するとともに、該外切欠部８はキャップ本体１の側面にまで達している。これにより、キャップ本体の外周全てを誤飲防止部材で囲むことなく、キャップ本体側面の一部より誤飲防止部材７が延設されるため、キャップの金型成形時、キャップ本体が撓む余裕が生じて、金型を抜きやすくなる効果がある。よって、ピルファープルーフバンド付きキャップを成形しやすくなる効果がある。
【００４９】
（実施例１）
次に、本発明のピルファープルーフバンド付きキャップの一例としては、図１４に示すように、前記誤飲防止部材７に、外切欠部８および内切欠部６および起立部９の全てを形成してもよい。これにより、キャップ本体１の誤飲防止の効果のみならず、キャップ３の開封時、図１５に示すように、誤飲防止部材７の外周部および内周部に幅広な側面からなる起立部９が形成され、該起立部９に指先を当接させて、キャップ本体１をより少ない力で確実に開封することが可能である。さらには、キャップ本体の見かけ上の形状がさらに大きくなるため、高い誤飲防止の効果を奏するとともに、たとえ口内にキャップ１を挿入しても、内切欠部６により空気の流路が形成されて、より高い安全性を確保することが可能である。
【００５０】
以上のように、本発明のピルファープルーフバンド付きキャップは、前記キャップ本体１に水平方向へ延設された板状の誤飲防止部材７を形成する簡単な構成により、キャップ本体１を誤って飲み込んでしまうことがない、誤飲防止ピルファープルーフバンド付きキャップ３を提供することが可能である。さらには、前記誤飲防止部材７に、上面視で円形状の外周部の一部を切り欠いた外切欠部８、および内周部を切り欠いた内切欠部６を形成する簡単な構成により、少ない力でもって大きな回動トルクを生じさせて、容易にキャップ３を回動せしめキャップ本体１を開封することが可能である。
【００５１】
前記誤飲防止部材７は、上面視で最大直径が３０ｍｍ〜５０ｍｍの範囲であることが好ましく、特に、乳幼児に対して確実に誤飲を防ぐ効果がある。
【図面の簡単な説明】
【００５２】
【図１】本発明のピルファープルーフバンド付きキャップを装着した包装体の一例を示す図である。
【図２】本発明のピルファープルーフバンド付きキャップを開封した場合を示す図である。
【図３】本発明のピルファープルーフバンド付きキャップを示す説明図である。（ａ）ピルファープルーフバンド付きキャップの一部切断説明図である。（ｂ）ピルファープルーフバンド付きキャップの断面図である。
【図４】本発明のピルファープルーフバンド付きキャップを示す説明図である。（ａ）ピルファープルーフバンド付きキャップの上面視図である。（ｂ）ピルファープルーフバンド付きキャップの側面視図である。
【図５】注出口の一例を示す図である。（ａ）注出口の斜視図である。（ｂ）注出口の断面図である。
【図６】本発明のピルファープルーフバンド付きキャップを注出口に装着した場合を示す説明図である。（ａ）ピルファープルーフバンド付きキャップの一部切断説明図である。（ｂ）断面図である。
【図７】本発明のピルファープルーフバンド付きキャップを開封する様子を示す説明図である。（ａ）ピルファープルーフバンド付きキャップの一部切断説明図である。（ｂ）断面図である。
【図８】キャップ本体を示す図である。（ａ）斜め上方から見下ろした場合を示す図である。（ｂ）斜め下方から見上げた場合を示す図である。
【図９】（ａ）（ｂ）本発明のピルファープルーフバンド付きキャップの一例を示す説明図である。
【図１０】誤飲防止部材の外形を示す一例としての参考の説明図である。（ａ）上面視図（上）および側面視図（下）である。（ｂ）斜視図である。
【図１１】誤飲防止部材の外形を示す別の一例としての参考の説明図である。（ａ）上面視図（上）および側面視図（下）である。（ｂ）斜視図である。
【図１２】外切欠部がキャップ本体の側面に達する一例としての参考の説明図である。（ａ）上面視図（上）および側面視図（下）である。（ｂ）斜視図である。
【図１３】外切欠部がキャップ本体の側面に達する別の一例としての参考の説明図である。（ａ）上面視図（上）および側面視図（下）である。（ｂ）斜視図である。
【図１４】（ａ）（ｂ）本発明の実施例1におけるピルファープルーフバンド付きキャップを示す説明図である。
【図１５】本発明の実施例１におけるピルファープルーフバンド付きキャップと注出口とを示す説明図である。
【図１６】従来のピルファープルーフバンド付きキャップを装着した包装体を示す図である。（ａ）初期開封前を示す図である。（ｂ）開封後を示す図である。
【符号の説明】
【００５３】
１  キャップ本体
２  ピルファープルーフバンド
３  ピルファープルーフバンド付きキャップ
４  注出口
５  包装体
６  内切欠部（切欠部）
７  誤飲防止部材
８  外切欠部（切欠部）
９  起立部
１０  ピルファープルーフバンド付きキャップを有する包装体（キャップ付き包装体）
１２  ネジ溝
１３  ローレット（突起）
１５  連結部
２１  凸部
２５  連結部
４１  口部
４２  ネジ部
４３  凸リング
４５  フランジ
４６  接着基部
４７  吸入ガイド
４８  閉塞防止部
【図１】
0005298420.tif 000002
【図２】
0005298420.tif 000003
【図３】
0005298420.tif 000004
【図４】
0005298420.tif 000005
【図５】
0005298420.tif 000006
【図６】
0005298420.tif 000007
【図７】
0005298420.tif 000008
【図８】
0005298420.tif 000009
【図９】
0005298420.tif 000010
【図１０】
0005298420.tif 000011
【図１１】
0005298420.tif 000012
【図１２】
0005298420.tif 000013
【図１３】
0005298420.tif 000014
【図１４】
0005298420.tif 000015
【図１５】
0005298420.tif 000016
【図１６】
0005298420.tif 000017